(57)【要約】【課題】蒸気圧縮式空調機の凝縮器の冷却効率を向上させるとともに、室内の温度上昇を抑制することが可能な空調装置を提供する。【解決手段】この空調装置１００は、第１入口１０ａから取り込んだ店内９０の暖まった空気１０を流すドライ流路１７と、第２入口１３ａから取り込んだ外気１３を流す、水分を含んだウエット流路１６とを含む、間接気化式熱交換器１を備え、間接気化式熱交換器１は、ウエット流路１６内の空気１４によりウエット流路１６の水分が気化することによって発生する気化熱によって、ドライ流路１７内を流れる空気１１および、ウエット流路１６内を流れる空気１４を冷却して、冷却された空気１２を出口１０ｂから店内９０に供給するとともに、冷却された空気１５を出口１３ｂから蒸気圧縮式空調機１１０の凝縮器２０に対して排気するように構成されている。【選択図】図1
2018025359.tif 000002
【特許請求の範囲】
【請求項１】
第１入口から取り込んだ室内空気を流すドライ流路と、第２入口から取り込んだ空気を流す、水分を含んだウエット流路とを含む、間接気化式熱交換器を備え、
前記間接気化式熱交換器は、前記ウエット流路内の空気により前記ウエット流路の水分が気化することによって発生する気化熱によって、前記ドライ流路内を流れる空気および、前記ウエット流路内を流れる空気を冷却して、冷却された空気を前記ドライ流路の出口から室内に供給するとともに、冷却された空気を前記ウエット流路の出口から蒸気圧縮式冷凍機の凝縮器に対して排気するように構成されている、空調装置。
【請求項２】
前記間接気化式熱交換器は、室内の暖まった空気を前記第１入口から取り込み、前記ドライ流路を介して冷却して室内に供給するとともに、前記第２入口から取り込まれた空気を前記ウエット流路により外気温度よりも低い温度に冷却して、室外または室内に設置された前記蒸気圧縮式冷凍機の凝縮器に対して排気するように構成されている、請求項１に記載の空調装置。
【請求項３】
前記間接気化式熱交換器は、室外に設置されており、室内と前記ドライ流路の前記第１入口とを連通させる第１ダクトと、前記ドライ流路の出口と室内とを連通させる第２ダクトとを含む、請求項１または２に記載の空調装置。
【請求項４】
前記蒸気圧縮式冷凍機は、室内に設置される蒸発器および、室外に設置される前記凝縮器を有する蒸気圧縮式空調機を含み、
前記間接気化式熱交換器は、室内に配置されており、前記第１入口から取り込んだ室内空気を前記ドライ流路により冷却して室内に供給するとともに、前記第２入口から取り込んだ室内空気を前記ウエット流路により、外気温度よりも低い温度に冷却して、室外に設置された前記凝縮器に供給するように構成されている、請求項１または２に記載の空調装置。
【請求項５】
前記間接気化式熱交換器は、前記ウエット流路の出口と前記凝縮器の空気取入口とを接続する第３ダクトをさらに備える、請求項１〜４のいずれか１項に記載の空調装置。
【請求項６】
第１入口から取り込んだ室内空気を流すドライ流路と、第２入口から取り込んだ空気を流す、水分を含んだウエット流路とを含む、間接気化式熱交換器と、
室内に設置される蒸発器および、室外に設置される凝縮器を含む蒸気圧縮式空調機と、を備え、
前記間接式熱交換器は、前記ウエット流路内の空気により、前記ウエット流路の水分が気化することによって発生する気化熱によって、前記ドライ流路内を流れる空気および、前記ウエット流路内を流れる空気を冷却して、冷却された空気を前記ドライ流路の出口から室内に供給するとともに、冷却された空気を前記ウエット流路の出口から、前記凝縮器に対して排気するように構成されている、空調システム。
【発明の詳細な説明】
【技術分野】
【０００１】
この発明は、空調装置に関し、特に、供給される水の気化熱を利用して、空冷式凝縮器の冷却効率を高める空調装置に関する。
【背景技術】
【０００２】
従来、供給される水の気化熱を利用して、空冷式凝縮器の冷却効率を高める空調装置が知られている（たとえば、特許文献１参照）。
【０００３】
上記特許文献１に記載の空冷式凝縮器用吸込空気冷却装置は、空冷式凝縮器の吸込空気経路上に充填材を設置し、充填材に水を循環させている。空冷式凝縮器に取り込まれる空気が充填材を通過する際、水の気化熱によって冷却されることにより、凝縮器の冷却効率を向上させている。
【先行技術文献】
【特許文献】
【０００４】
【特許文献１】特開２００９−２３６３７０号公報
【発明の概要】
【発明が解決しようとする課題】
【０００５】
しかしながら、上記特許文献１に記載された空冷式凝縮器用吸込空気冷却装置は、空冷式凝縮器の冷却効率を向上させることを目的としており、室内の熱負荷に関しては考慮されていない。したがって、室内に侵入する外部熱や、室内に設けられた冷凍機などから排出される熱によって、室内の温度が上昇してしまうという問題点がある。
【０００６】
この発明は、上記のような問題を解決するためになされたものであり、この発明の１つの目的は、蒸気圧縮式空調機の凝縮器の冷却効率を向上させ、かつ、室内の温度上昇を抑制することが可能な空調装置を提供することである。
【課題を解決するための手段】
【０００７】
この発明の第１の局面による空調装置は、第１入口から取り込んだ空気を流すドライ流路と、第２入口から取り込んだ外気を流す、水分を含んだウエット流路とを含む、間接気化式熱交換器を備え、間接気化式熱交換器は、ウエット流路内の空気により、ウエット流路の水分が気化することによって発生する気化熱によって、ドライ流路内を流れる空気および、ウエット流路内を流れる空気を冷却して、冷却された空気をドライ流路の出口から室内に供給するとともに、冷却された空気をウエット流路の出口から蒸気圧縮式冷凍機の凝縮器に対して排気するように構成されている。
【０００８】
この発明の第１の局面による空調装置は、上記のように、間接気化式熱交換器を、ウエット流路内の空気により、ウエット流路の水分が気化することによって発生する気化熱によって、ドライ流路内を流れる空気および、ウエット流路内を流れる空気を冷却して、冷却された空気をドライ流路の出口から室内に供給するとともに、冷却された空気をウエット流路の出口から蒸気圧縮式冷凍機の凝縮器に対して排気するように構成する。これにより、間接気化式熱交換器によってドライ流路内の空気を冷却することができるとともに、ウエット流路内の空気も冷却することができる。その結果、ドライ流路により冷却された空気を室内に供給することによって、室内の温度上昇を抑制することができる。また、ウエット流路により冷却された空気を、蒸気圧縮式冷凍機の凝縮器に排気することによって凝縮器の冷却効率を向上させることができる。これらの結果、本発明によれば、蒸気圧縮式空調機の凝縮器の冷却効率を向上させ、かつ、室内の温度上昇を抑制することができる。
【０００９】
上記第１の局面による空調装置では、好ましくは、室内の暖まった空気を第１入口から取り込み、ドライ流路を介して冷却して室内に供給するとともに、第２入口から取り込まれた空気をウエット流路により外気温度よりも低い温度に冷却して、室外または室内に設置された蒸気圧縮式冷凍機の凝縮器に対して排気するように構成されている。このように構成すれば、室内の暖まった空気を間接気化式熱交換器で冷却し、室内に給気することができる。また、外気温度よりも低温に冷却された空気を、凝縮器に排気することができる。その結果、室内の温度上昇をさらに抑制することができるとともに、凝縮器の冷却効率をさらに向上させることができる。
【００１０】
上記第１の局面による空調装置では、好ましくは、間接気化式熱交換器は、室外に設置されており、室内とドライ流路の第１入口とを連通させる第１ダクトと、ドライ流路の出口と室内とを連通させる第２ダクトとを含む。このように構成すれば、室内の空気は、第１ダクトを通り直接ドライ流路に供給されるので、第１ダクトを設けない場合よりも、ドライ流路以外に排気される室内空気量を減少させることが可能となる。また、第２ダクトにより、ドライ流路から排出される空気の出口と室内とが連通されるため、ドライ流路で冷却された空気が室内以外に排出される量を減少させることが可能となる。その結果、室内の暖まった空気の処理量が増加するとともに、室内に供給される冷却された空気の量が増加するので、室内の温度上昇をさらに抑制することができる。
【００１１】
上記第１の局面による空調装置では、好ましくは、蒸気圧縮式冷凍機は、室内に設置される蒸発器および、室外に設置される凝縮器を有する蒸気圧縮式空調機を含み、間接気化式熱交換器は、室内に配置されており、第１入口から取り込んだ室内空気をドライ流路により冷却して室内に供給するとともに、第２入口から取り込んだ室内空気をウエット流路により、外気温度よりも低い温度に冷却して、室外に設置された凝縮器に供給するように構成されている。このように構成すれば、室内の暖まった空気を第１入口および第２入口の両方から直接間接気化式熱交換器へ取り込むことができるので、室内の暖まった空気を処理できる量が増加する。また、室内の空気を第１入口から直接取り込み、ドライ流路で冷却された空気を直接室内に供給することができるので、間接気化式熱交換器を室外に設置する場合に設けていた、ドライ流路の第１入口や出口と室内とをそれぞれ接続するダクトを設ける必要がなくなる。その結果、間接気化式熱交換器を室外に設置する場合と比較して、室内の暖まった空気をより多く処理することができるので、室内の温度上昇をさらに抑制することができる。また、ドライ流路の第１入口や出口にダクトを設ける必要がなくなるので、室外に設置された間接気化式熱交換器と室内とをダクトでつなぐ場合と比べ、部品点数の増加を抑制することができる。
【００１２】
上記第１の局面による空調装置では、好ましくは、間接気化式熱交換器は、ウエット流路の出口と凝縮器の空気取入口とを接続する第３ダクトをさらに備える。このように構成すれば、ウエット流路で冷却された空気を、第３ダクトを介して凝縮器の空気取入口に直接供給することができるので、凝縮器の空気取込口以外に排出される空気量が減少する。その結果、凝縮器の冷却効率をさらに向上させることができる。
【００１３】
この発明の第２の局面による空調システムは、第１入口から取り込んだ室内空気を流すドライ流路と、第２入口から取り込んだ空気を流す、水分を含んだウエット流路とを含む、間接気化式熱交換器と、室内に設置される蒸発器および、室外に設置される凝縮器を含む蒸気圧縮式空調機とを備え、間接気化式熱交換器は、ウエット流路内の空気により、ウエット流路の水分が気化することによって発生する気化熱によって、ドライ流路内を流れる空気および、ウエット流路を流れる空気を冷却して、冷却された空気をドライ流路の出口から室内に供給するとともに、冷却された空気をウエット流路の出口から凝縮器に対して排気するように構成されている。
【００１４】
この発明の第２の局面による空調システムは、上記のように、間接気化式熱交換器を、ウエット流路内の空気により、ウエット流路の水分が気化することによって発生する気化熱によって、ドライ流路内を流れる空気および、ウエット流路を流れる空気を冷却して、冷却された空気をドライ流路の出口から室内に供給するとともに、冷却された空気をウエット流路の出口から凝縮器に対して排気するように構成する。これにより、間接気化式熱交換器によって、室内に冷却された空気を供給することによって室内の温度上昇を抑制することができる。また、室外に設置される凝縮器に対して、冷却された空気を排気することにより、凝縮器の冷却効率を向上させることができる。これらの結果、本発明によれば、蒸気圧縮式空調機の凝縮器の冷却効率を向上させ、かつ、室内の温度上昇を抑制することができる。その結果、蒸気圧縮式空調機の消費電力を低減し、空調システム全体でエネルギー効率を向上させることができる。
【発明の効果】
【００１５】
本発明によれば、上記のように、室内の温度上昇を抑制しながら、蒸気圧縮式空調機の凝縮器の冷却効率を向上することが可能な空調装置を提供することができる。
【図面の簡単な説明】
【００１６】
【図１】本発明の第１実施形態による空調装置を備えた空調システムの構成を示した図である。
【図２】本発明の第１実施形態による間接気化式熱交換器内のコアの構成を示した図である。
【図３】本発明の第１実施形態による間接気化式熱交換器によって処理される空気の温湿度変化を示した図である。
【図４】本発明の第２実施形態による空調装置を備えた空調システムの構成を示した図である。
【図５】本発明の第１実施形態の第１変形例による空調装置を備えた空調システムの構成を示した図である。
【図６】本発明の第１実施形態の第２変形例による空調装置を備えた空調システムの構成を示した図である。
【図７】本発明の第１実施形態の第３変形例による空調装置を備えた空調システムの構成を示した図である。
【図８】本発明の第１実施形態の第４変形例による空調装置を備えた空調システムの構成を示した図である。
【図９】本発明の第１実施形態の第５変形例による空調装置を備えた空調システムの構成を示した図である。
【図１０】本発明の第２実施形態の第１変形例による空調装置を備えた空調システムの構成を示した図である。
【図１１】本発明の第２実施形態の第２変形例による空調装置を備えた空調システムの構成を示した図である。
【図１２】本発明の第２実施形態の第３変形例による空調装置を備えた空調システムの構成を示した図である。
【発明を実施するための形態】
【００１７】
以下、本発明を具体化した実施形態を図面に基づいて説明する。
【００１８】
［第１実施形態］
まず、図１〜図３を参照して、本発明の第１実施形態による空調装置を備えた空調システムの構成について説明する。
【００１９】
（空調システムの構成）
第１実施形態による空調システム５００は、図１に示すように、蒸気圧縮式空調機１１０と、ショーケース８０と、空調装置１００とを備えている。蒸気圧縮式空調機１１０は、蒸発器１２０と凝縮器２０とを含む。蒸発器１２０と凝縮器２０とは、冷媒配管１１０ａを介して接続されている。空調装置１００は、間接気化式熱交換器１を含む。また、ショーケース８０は、冷凍機８１を含む。冷凍機８１は、凝縮器２１と蒸発器２２とを含む。蒸気圧縮式空調機１１０と、ショーケース８０とは、店内９０に設置されている。また、間接気化式熱交換器１と、凝縮器２０は、室外に設置されている。なお、店内９０は、特許請求の範囲の「室内」の一例である。
【００２０】
（空調装置の構成）
第１実施形態による空調装置１００は、図１に示すように、間接気化式熱交換器１を含む。また、間接気化式熱交換器１は、コア部２を含む。なお、店内９０において、壁面９１側をＸ１方向、壁面９１と反対側をＸ２方向とする。また、ショーケース８０をＸ２方向から見て右側をＹ１方向、左側をＹ２方向とする。また、天井９２側をＺ１方向、床面９３側をＺ２方向とする。
【００２１】
図２に示すように、コア部２は、ウエット流路１６とドライ流路１７とを含む。ウエット流路１６と、ドライ流路１７とは、交互に積層されるように構成されている。ウエット流路１６と、ドライ流路１７とは、スペーサーにより所定の間隔で保持されている。所定の間隔とは、たとえば、５ｍｍである。また、ウエット流路１６とドライ流路１７との間には、隔壁１８が設けられている。隔壁１８は、熱伝導が可能で水を通さない素材で構成される。たとえば、隔壁１８は、ポリプロピレン製のフィルム、または薄いシートによって構成される。また、ウエット流路１６の内表面１６ａには、不織布１６ｂが設けられている。たとえば、不織布１６ｂは、ポリプロピレン製、または吸湿性のある濾紙が用いられる。不織布１６ｂには、給水管３０（図１参照）から送水される水が保水される。また、ウエット流路１６の入口には、ファン１４ａ（図１参照）が設置されている。また、ドライ流路１７の入口には、ファン１１ａ（図１参照）が設置されている。また、ドライ流路１７は、コア部２のＸ方向の全幅にわたって広がっており、取り込まれた空気１１は、Ｘ方向の全幅に広がるとともに、Ｚ１方向からＺ２方向に流れる。また、ウエット流路１６は、コア部２のＸ方向の全幅にわたって広がっており、取り込まれた空気１４は、Ｘ方向の全幅に広がるとともに、Ｚ２方向からＺ１方向に流れる。このように、ウエット流路１６とドライ流路１７とは、ＸＺ方向において略同一形状を有し、Ｙ方向に互いに重なっている。また、ウエット流路１６から排出された水は、排水管３１（図１参照）によって、室外へと排水される。
【００２２】
また、図１に示すように、間接気化式熱交換器１は、空気１０を、ドライ流路１７に取り込む第１入口１０ａを有する。空気１０は、外部から店内９０に侵入した熱や、店内９０から冷凍機８１に取り込まれた空気５０が、凝縮器２１によって加熱され、店内９０に排出された加熱空気５１によって暖められる。また、間接気化式熱交換器１は、ドライ流路１７の出口から排出された空気１２を店内９０に供給する出口１０ｂを有する。第１入口１０ａは、第１ダクト４０によって店内９０の上部（Ｚ１側上部）と接続されている。また、出口１０ｂは、第２ダクト４１によって店内９０の下部（Ｚ２側下部）と接続されている。
【００２３】
また、間接気化式熱交換器１は、外気１３をウエット流路１６に取り込む第２入口１３ａを有する。また、間接気化式熱交換器１は、ウエット流路１６の出口から排出された空気１５を排出する出口１３ｂを有する。また、出口１３ｂは、第３ダクト４２によって凝縮器２０の空気取込口１５ａと接続されている。
【００２４】
ここで、第１実施形態では、間接気化式熱交換器１は、ウエット流路１６内の空気１４によりウエット流路１６の水分が気化することによって発生する気化熱によって、ドライ流路１７内を流れる空気１１およびウエット流路１６内を流れる空気１４を冷却して、ドライ流路１７内で冷却された空気１２を出口１０ｂから店内９０に供給するとともに、ウエット流路１６内で冷却された空気１５を出口１３ｂから凝縮器２０に対して排気するように構成されている。
【００２５】
具体的には、間接気化式熱交換器１は、店内９０の暖まった空気１０を、ドライ流路１７の入口に設置されているファン１１ａによって、第１ダクト４０を介して第１入口１０ａから給気するように構成されている。また、間接気化式熱交換器１は、外気１３を、ウエット流路１６の入口に設置されたファン１４ａによって、第２入口１３ａから給気するように構成されている。また、空気１４がウエット流路１６内を通る際に、不織布１６ｂ（図２参照）に保水された水が気化し、発生した気化熱によって空気１４およびウエット流路１６が冷却される。そして、ドライ流路１７および空気１１は、隔壁１８を介して、ウエット流路１６内で発生した気化熱によって冷却される。ドライ流路１７内で冷却された空気１２は、第２ダクト４１を通り、店内９０へ給気される。また、ウエット流路１６内で冷却された空気１５は、出口１３ｂを通り、第３ダクト４２を介して凝縮器２０の空気取込口１５ａから凝縮器２０に対して排気される。なお、店内９０の暖まった空気１０は、特許請求の範囲の「室内の暖まった空気」の一例である。また、空気１１および空気１４は、それぞれ、特許請求の範囲の「ドライ流路内を流れる空気」および「ウエット流路内を流れる空気」の一例である。
【００２６】
ここで、第１実施形態による空調システムの動作例を説明する。図３に示すように、外気１３が温湿度ｔｈ１、店内９０の暖まった空気１０が温湿度ｔｈ２の場合を仮定する。ここで、ｔｈ１は、たとえば、温度４０℃、湿度３４％ＲＨとする。また、ｔｈ２は、たとえば、温度３５℃、湿度４４．５％ＲＨとする。また、たとえば、ウエット流路１６を流れる空気１４の湿度が８５％ＲＨまで上昇するようにウエット流路１６の表面積が調整されている場合、ウエット流路１６内の空気１４は、ウエット流路１６の出口において、エンタルピーはＨ１増大するが、温度が２９℃まで降下する。また、ドライ流路１７内の空気１１は、ウエット流路１６との熱交換によってエンタルピーがＨ２減少するため、ドライ流路１７の出口において、温度が３２℃に降下する。その結果、店内９０では、３５℃の空気１０が、空調装置１００によって３２℃まで冷却されて循環される。また、凝縮器２０には、４０℃の外気が、空調装置１００によって２９℃まで冷却されて供給される。
【００２７】
このように、空調装置１００では、間接気化式熱交換器１は、店内９０の暖まった空気１０を第１入口１０ａから取り込み、ドライ流路１７を介して冷却して店内９０に給気するとともに、第２入口１３ａから取り込まれた外気１３をウエット流路１６により外気温度よりも低い温度に冷却して、室外に設置された凝縮器２０に対して排気するように構成されている。
【００２８】
（第１実施形態の効果）
第１実施形態では、以下のような効果を得ることができる。
【００２９】
第１実施形態では、上記のように、室外に設けられた間接気化式熱交換器１を備え、間接気化式熱交換器１は、ウエット流路１６内の空気１４によりウエット流路１６の水分が気化することによって発生する気化熱によって、ドライ流路１７内を流れる空気１１およびウエット流路１６内を流れる空気１４を冷却して、ドライ流路１７内で冷却された空気１２を出口１０ｂから店内９０に供給するとともに、ウエット流路１６内で冷却された空気１５を出口１３ｂから凝縮器２０に対して排気するように、空調装置１００を構成する。これにより、間接気化式熱交換器１によってドライ流路１７内を流れる空気１１を冷却することができるとともに、ウエット流路１６内を流れる空気１４も冷却することができる。その結果、ドライ流路１７により冷却された空気１２を店内９０に供給することによって、店内９０の温度上昇を抑制することができる。また、ウエット流路１６により冷却された空気１５を、凝縮器２０に排気することによって、凝縮器２０の冷却効率を向上させることができる。これらの結果、凝縮器２０の冷却効率を向上させるとともに、店内９０の温度上昇を抑制することができる。
【００３０】
また、上記のように、間接気化式熱交換器１を備え、間接気化式熱交換器１は、空気１０を第１入口１０ａから取り込み、ドライ流路１７を介して冷却し、店内９０に供給するとともに、第２入口１３ａから取り込まれた外気１３をウエット流路１６により、外気温度よりも低い温度に冷却して室外に設置された凝縮器２０に対して排気するように、空調装置１００を構成する。その結果、ドライ流路１７により冷却された空気１２を店内９０に供給することによって、店内９０の温度上昇を抑制することができる。また、ウエット流路１６により冷却された空気１５を、凝縮器２０に排気することによって、凝縮器２０の冷却効率を向上させることができる。これらの結果、凝縮器２０の冷却効率を向上させるとともに、店内９０の温度上昇を抑制することができる。
【００３１】
また、第１実施形態では、上記のように、間接気化式熱交換器１を、室外に設置し、店内９０とドライ流路１７の第１入口１０ａとを連通させる第１ダクト４０と、出口１０ｂと店内９０とを連通させる第２ダクト４１とを、間接気化式熱交換器１に設ける。これにより、店内９０の暖まった空気１０は、第１ダクト４０を通り、直接ドライ流路１７に供給されるので、第１ダクト４０を設けない場合よりも、ドライ流路１７以外に排出される空気１０の量を減少させることができる。また、第２ダクト４１により、ドライ流路１７から排出される空気が店内９０以外に排出される量を減少させることができる。その結果、空気１０の処理量が増加するとともに、店内９０に供給される冷却された空気１２の量が増加するので、店内９０の温度上昇を抑制することができる。
【００３２】
また、第１実施形態では、上記のように、間接気化式熱交換器１に、出口１３ｂと凝縮器２０の空気取込口１５ａとを接続する第３ダクト４２を設ける。これにより、ウエット流路１６で冷却された空気１５を、第３ダクト４２を介して凝縮器２０の空気取込口１５ａに直接供給することができるので、凝縮器２０の空気取込口１５ａ以外に排出される空気量が減少する。その結果、凝縮器２０の冷却効率を向上させることができる。
【００３３】
［第２実施形態］
図４を参照して、本発明の第２実施形態による空調装置２００を備えた空調システム５００の構成について説明する。第２実施形態では、上記第１実施形態の構成と異なり、間接気化式熱交換器１を店内９０に設置する構成である。なお、上記第１実施形態と同様の構成は、第１実施形態と同じ符号を付して図示するとともに説明を省略する。
【００３４】
（空調装置の構成）
第２実施形態では、図４に示すように、店内９０に設置された蒸発器１２０および室外に設置される凝縮器２０を有する蒸気圧縮式空調機１１０を含み、間接気化式熱交換器１は、店内９０に設置されている。間接気化式熱交換器１は、第１入口１０ａから取り込んだ店内９０の暖まった空気１０をドライ流路１７により冷却して店内９０に供給するとともに、第２入口１３ａから取り込んだ空気１０をウエット流路１６により外気温度よりも低い温度に冷却して凝縮器２０に供給するように構成されている。
【００３５】
なお、第２実施形態のその他の構成は、上記第１実施形態と同様である。
【００３６】
（第２実施形態の効果）
第２実施形態では、以下の効果を得ることができる。
【００３７】
第２実施形態では、上記のように、店内９０に設置された蒸発器１２０および室外に設置される凝縮器２０を有する蒸気圧縮式空調機１１０を含み、間接気化式熱交換器１は、店内９０に設置されている。間接気化式熱交換器１は、第１入口１０ａから取り込んだ店内９０の暖まった空気１０をドライ流路１７により冷却して店内９０に供給するとともに、第２入口１３ａから取り込んだ空気１０をウエット流路１６により外気温度よりも低い温度に冷却して凝縮器２０に供給するように空調装置２００を構成する。これにより、空気１０を、第１入口１０ａおよび、第２入口１３ａから直接間接気化式熱交換器１へ供給できるので、空気１０を処理できる量が増加する。また、空気１０を第１入口１０ａから直接取り込み、ドライ流路１７で冷却された空気１２を直接店内９０へ給気することができるので、間接気化式熱交換器１を室外に設置する場合に設けていた、ドライ流路１７の第１入口１０ａや出口１０ｂと店内９０とをそれぞれ接続するダクトを設ける必要がなくなる。これにより、間接気化式熱交換器１を店内９０の室外に設置する場合と比較して、空気１０をより多く処理することができるので、店内９０の温度上昇を抑制することができる。また、ドライ流路１７の第１入口１０ａや出口１０ｂにダクトを設ける必要がなくなるので、室外に設置された間接気化式熱交換器１と店内９０とをダクトでつなぐ場合と比べて、部品点数の増加を抑制することができる。
【００３８】
なお、第２実施形態のその他の効果は、上記第１実施形態と同様である。
【００３９】
なお、今回開示された実施形態は、すべての点で例示であって制限的なものではないと考えられるべきである。本発明の範囲は、上記した実施形態の説明ではなく、特許請求の範囲によって示され、さらに特許請求の範囲と均等の意味および範囲内すべての変更（変形例）が含まれる。
【００４０】
たとえば、上記第１実施形態では、コア部２のＺ１側から店内９０の暖まった空気１０を取り込みＺ２側へ向けてドライ流路１７に空気１１を流すとともに、Ｘ１側から外気１３を取り込み、Ｚ２側からＺ１側へ向けてウエット流路１６に空気１４を流すことによって、空気１１と空気１４とが対向する向きで間接気化式熱交換器１を通る例を示したが、本発明はこれに限られない。たとえば、図５に示すように、間接気化式熱交換器１のＸ２側の面に第２入口１３ａを設け、また、間接気化式熱交換器１のＸ１側の面に出口１３ｂを設けることにより、空気１４をＸ２側からＸ１側の向きにウエット流路１６内を流すことによって、空気１１と空気１４とが略直交する構成であってもよい。
【００４１】
また、上記第１実施形態では、コア部２のＺ１側から店内９０の暖まった空気１０を取り込みＺ２側へ向けてドライ流路１７に空気１１を流すとともに、Ｘ１側から外気１３を取り込み、Ｚ２側からＺ１側へ向けてウエット流路１６に空気１４を流すことによって、空気１１と空気１４とが対向する向きで間接気化式熱交換器１を通る例を示したが、本発明はこれに限られない。たとえば、図６に示すように、間接気化式熱交換器１の第１入口１０ａと同じ面に第２入口１３ａを設け、間接気化式熱交換器１のＸ１側の面（出口１０ｂとは反対の面）に出口１３ｂを設けることによって、空気１４の流れる向きをＺ１側からＺ２側にすることによって、空気１１と空気１４とが並行して進む構成であってもよい。
【００４２】
また、上記第１実施形態では、出口１３ｂと凝縮器２０の空気取込口１５ａとを第３ダクト４２で接続する例を示したが、本発明はこれに限られない。たとえば、図７に示すように、ウエット流路１６の出口に排気口１３ｄを設けてもよい。これにより、ウエット流路１６から排出される冷却された空気１５は、排気口１３ｄを通って排気され、凝縮器２０の空気取込口１５ａから凝縮器２０に取り込まれる。その結果、間接気化式熱交換器１と凝縮器２０とを接続するダクトを設ける必要がなくなることにより、間接気化式熱交換器１と凝縮器２０とをダクトでつなぐ場合と比べ、部品点数の増加を抑制することができる。
【００４３】
また、上記第１実施形態では、間接気化式熱交換器１を店内９０の室外に設ける例を示したが、本発明はこれに限られない。たとえば、図８に示すように、ウエット流路１６の出口に排気口１３ｄを設けるとともに、間接気化式熱交換器１の第１入口１０ａおよび、出口１０ｂを設けている部分を、店内９０の壁に埋め込むように構成されてもよい。これにより、ウエット流路１６から排出される冷却された空気１５は、排気口１３ｄを通って排気され、凝縮器２０の空気取込口１５ａから凝縮器２０に取り込まれる。また、店内９０の暖まった空気１０は、第１入口１０ａより直接取り込まれ、ドライ流路１７によって冷却され、出口１０ｂを通って店内９０に供給されるので、間接気化式熱交換器１を室外に設置する場合に設けていた、ドライ流路１７の第１入口１０ａや出口１０ｂと店内９０とをそれぞれ接続するダクトを設ける必要がなくなる。その結果、室外に設置された間接気化式熱交換器１と店内９０とをダクトでつなぎ、さらに間接気化式熱交換器１と凝縮器２０とをダクトとをつなぐ場合と比べて、部品点数の増加を抑制することができる。
【００４４】
また、上記第１実施形態では、間接気化式熱交換器１と凝縮器２０の空気取込口１５ａとを、第３ダクト４２で接続する例を示したが、本発明はこれに限られない。たとえば、図９に示すように、間接気化式熱交換器１は、凝縮器１４１の空気取込口１５ｂと間接気化式熱交換器１の出口１３ｂとが、第４ダクト４３によって接続された構成でもよい。凝縮器１４１は、室外に設置されている。また、店内９０には、ショーケース８０が設置されており、冷凍機８１を含んでいる。冷凍機８１は、蒸発器１４０を含み、蒸発器１４０と凝縮器１４１とは、冷媒配管１４０ａを介して接続されている。これにより、ウエット流路１６で冷却された空気１５が、第４ダクト４３を通って凝縮器１４１に対して排気されるので、冷凍機８１の冷却効率を向上させることができる。
【００４５】
また、上記第２実施形態では、店内９０に設置された間接気化式熱交換器１は、第３ダクト４２を介して室外に設置された凝縮器２０と接続される例を示したが、本発明はこれに限られない。たとえば、図１０に示すように、店内９０に設けられた間接気化式熱交換器１は、出口１３ｂと店内９０に設けられたショーケース８０に設置された冷凍機８１の凝縮器２１の空気取込口１５ｃとを、第５ダクト４４によって接続された構成でもよい。これにより、ウエット流路１６によって冷却された空気１５が、第５ダクト４４を介して凝縮器２１に排気される。その結果、凝縮器２１の冷却効率を向上させることができる。
【００４６】
また、上記第２実施形態では、間接気化式熱交換器１と凝縮器２０の空気取込口１５ａとを、第３ダクト４２で接続する例を示したが、本発明はこれに限られない。たとえば、図１１に示すように、ウエット流路１６の出口に排気口１３ｅを設けてもよい。これにより、ウエット流路１６から排出される冷却された空気１５は、排気口１３ｅを通って排気され、凝縮器２０の空気取込口１５ａから凝縮器２０に取り込まれる。その結果、間接気化式熱交換器１と凝縮器２０とを接続するダクトを設ける必要がなくなることにより、間接気化式熱交換器１と凝縮器２０とをダクトでつなぐ場合と比べ、部品点数の増加を抑制することができる。
【００４７】
また、上記第２実施形態では、ウエット流路１６の第２入口１３ａを、ドライ流路１７の第１入口１０ａと同じ面に設ける例を示したが、本発明はこれに限られない。たとえば、図１２に示すように、ドライ流路１７の出口側に第２入口１３ａを設け、ドライ流路１７で冷却された空気１２の一部を取り込むように構成してもよい。このような構成であっても、上記第２実施形態と同様の効果を奏することができる。
【００４８】
また、上記第１、第２実施形態では、ドライ流路１７の入口にファン１１ａを設け、ウエット流路１６の入口にファン１４ａを設ける例を示したが、本発明はこれに限られない。たとえば、ドライ流路１７の出口およびウエット流路１６の出口それぞれにファンを設ける構成でもよい。
【符号の説明】
【００４９】
１  間接気化式熱交換器
１０  空気（室内の暖まった空気）
１０ａ  第１入口
１０ｂ  ドライ流路の出口
１３ａ  第２入口
１３ｂ  ウエット流路の出口
１１  空気（ドライ流路を流れる空気）
１４  空気（ウエット流路を流れる空気）
１６  ウエット流路
１７  ドライ流路
２０  凝縮器（蒸気圧縮式冷凍機の凝縮器）
４０  第１ダクト
４１  第２ダクト
４２  第３ダクト
１１０  蒸気圧縮式空調機
１２０  蒸発器（室内に設置される蒸発器）
【図１】
2018025359.tif 000003
【図２】
2018025359.tif 000004
【図３】
2018025359.tif 000005
【図４】
2018025359.tif 000006
【図５】
2018025359.tif 000007
【図６】
2018025359.tif 000008
【図７】
2018025359.tif 000009
【図８】
2018025359.tif 000010
【図９】
2018025359.tif 000011
【図１０】
2018025359.tif 000012
【図１１】
2018025359.tif 000013
【図１２】
2018025359.tif 000014